(57)【要約】【課題】車両の運転者の操作量の変化に対して、機能装置の制御量を指数関数的に変化させる制御をおこなうにあたり、車両を取り巻く環境が変わっても、制御量の変化に対して、運転者が違和感を持つことを抑制できる、車両用の機能装置を提供する。【解決手段】車両の乗員によって操作される操作装置と、操作装置の操作状態に基づいた機能を発生する機能装置と、操作装置の操作状態に基づいて、機能装置の目標機能を決定する目標機能決定装置と、決定された目標機能に基づいて、機能装置で発生する機能を制御するコントローラとを有する、車両用の制御装置において、操作装置における操作状態の変化に対して、目標機能決定装置で決定する目標機能の変化量を、指数関数を含む数式を用いて求める第１演算手段（ステップ２）と、数式で用いる指数として、車両がおかれる環境の変化に基づいて変更される変数を用いる第２演算手段（ステップＳ２）とを有する。【選択図】図１
2009083542.tif 000002
【特許請求の範囲】
【請求項１】
車両の乗員によって操作される操作装置と、この操作装置の操作状態に基づいた機能を発生する機能装置と、前記操作装置の操作状態に基づいて、前記機能装置の目標機能を決定する目標機能決定装置と、決定された目標機能に基づいて、前記機能装置で発生する機能を制御するコントローラとを有する、車両用の制御装置において、
前記操作装置における操作状態の変化に対して、前記目標機能決定装置で決定する目標機能の変化量を、指数関数を含む数式を用いて求める第１演算手段と、
前記数式で用いる指数として、前記車両がおかれる環境の変化に基づいて変更される変数を用いる第２演算手段と
を有することを特徴とする車両用の制御装置。
【請求項２】
前記機能装置には、前記車両を走行させるための駆動力を発生する駆動装置が含まれており、前記目標機能決定装置により決定される目標機能には、前記車両の目標駆動力が含まれており、
前記第１演算手段は、前記目標機能決定装置で決定される目標駆動力を、指数関数の数式を用いて変化させる手段を含むことを特徴とする請求項１に記載の車両用の制御装置。
【請求項３】
前記機能装置には、前記車両の車輪に制動力を与える制動装置が含まれており、前記目標機能決定装置により決定される目標機能には、前記車輪に与えられる制動力が含まれており、
前記第１演算手段は、前記目標機能決定装置で決定される目標制動力を、指数関数の数式を用いて変化させる手段を含むことを特徴とする請求項１に記載の車両用の制御装置。
【請求項４】
前記機能装置には、前記車両に取り付けられた車輪の操舵角を制御する操舵角制御装置が含まれており、前記目標機能決定装置により決定される目標機能には、前記車輪の操舵角が含まれており、
前記第１演算手段は、前記目標機能決定装置で決定される目標操舵角を、指数関数の数式を用いて変化させる手段を含むことを特徴とする請求項１に記載の車両用の制御装置。
【請求項５】
前記機能装置には、前記乗員が着座している室内の温度を制御する空調装置が含まれており、前記目標機能決定装置により決定される目標機能には、前記室内の目標温度が含まれており、
前記第１演算手段は、前記目標機能決定装置で決定される目標温度を、指数関数の数式を用いて変化させる手段を含むことを特徴とする請求項１に記載の車両用の制御装置。
【発明の詳細な説明】
【技術分野】
【０００１】
この発明は、車両の乗員により操作装置が操作され、かつ、車両に搭載された機能装置の機能が変化するように構成された、車両用の制御装置に関するものである。
【背景技術】
【０００２】
一般に、車両には操作装置および電子制御装置および機能装置が搭載されており、乗員により操作装置が操作されると、この操作装置の操作状態、および電子制御装置に記憶されているデータに基づいて、機能装置の目標機能を決定する制御がおこなわれる。このように、機能装置を電子制御装置により制御するように構成された、車両用の制御装置の一例が、特許文献１に記載されている。この特許文献１には、車両用の機能装置として操舵装置が記載されている。具体的に説明すると、運転者により操作される操舵ハンドルが設けられており、この操舵ハンドルは、操舵入力軸を介して反力アクチュエータに接続されている。また、操舵ハンドルの操舵角を検知する操舵角センサが設けられており、操舵角センサの信号が電子制御ユニットに入力される。この電子制御ユニットから出力された信号により第１の駆動回路が制御されて、第１の駆動回路により反力アクチュエータが制御される。このようにして、運転者の操舵ハンドルの回転操作に対して、反力アクチュエータが反力を付与する。一方、電子制御ユニットの信号は第２の駆動回路に入力され、第２の駆動回路により転舵アクチュエータが制御される。この転舵アクチュエータにより、車輪の転舵角が制御される。
【０００３】
そして、運転者によって操舵ハンドルが回転操作されると、操舵角センサによって操舵ハンドルの回転角である操舵角が検出され、反力アクチュエータにより付与される反力が制御される。具体的には、操舵ハンドルの操舵角の変化に対して、指数関数的に反力が制御される。特に、ウェーバー・ヘフナーの法則を利用して、反力を制御する点の記載がある。このウェーバー・ヘフナーの法則によれば、「人間の感覚量は与えられた刺激量の物理量の対数に比例する。」とされており、特許文献１では、この法則を利用して、操舵ハンドルの反力を制御している。その結果、操舵ハンドルの操作により発生する反力が、人間の知覚特性に合ったものとなり、運転者が違和感を持つことを抑制できるとされている。
【０００４】
【特許文献１】特開２００６−７８４３号公報
【発明の開示】
【発明が解決しようとする課題】
【０００５】
ところで、車両のおかれている環境が変化すると、運転者の知覚特性自体が変わる可能性がある。しかしながら、特許文献１に記載された車両の操舵装置では、車両のおかれている環境の変化に合わせて、運転者の知覚特性を推定することはできないため、その点で改善の余地が残されていた。
【０００６】
この発明は上記課題を解決するためになされたものであり、車両の運転者の操作量の変化に対して、機能装置の制御量を指数関数的に変化させる制御をおこなうにあたり、車両を取り巻く環境が変わっても、制御量の変化に対して、運転者が違和感を持つことを抑制できる、車両用の機能装置を提供する。
【課題を解決するための手段】
【０００７】
上記目的を達成するために、請求項１の発明は、車両の乗員によって操作される操作装置と、この操作装置の操作状態に基づいた機能を発生する機能装置と、前記操作装置の操作状態に基づいて、前記機能装置の目標機能を決定する目標機能決定装置と、決定された目標機能に基づいて、前記機能装置で発生する機能を制御するコントローラとを有する、車両用の制御装置において、前記操作装置における操作状態の変化に対して、前記目標機能決定装置で決定する目標機能の変化量を、指数関数を含む数式を用いて求める第１演算手段と、前記数式で用いる指数として、前記車両がおかれる環境の変化に基づいて変更される変数を用いる第２演算手段とを有することを特徴とするものである。
【０００８】
請求項２の発明は、請求項１の構成に加えて、前記機能装置には、前記車両を走行させるための駆動力を発生する駆動装置が含まれており、前記目標機能決定装置により決定される目標機能には、前記車両の目標駆動力が含まれており、前記第１演算手段は、前記目標機能決定装置で決定される目標駆動力を、指数関数の数式を用いて変化させる手段を含むことを特徴とするものである。
【０００９】
請求項３の発明は、請求項１の構成に加えて、前記機能装置には、前記車両の車輪に制動力を与える制動装置が含まれており、前記目標機能決定装置により決定される目標機能には、前記車輪に与えられる制動力が含まれており、前記第１演算手段は、前記目標機能決定装置で決定される目標制動力を、指数関数の数式を用いて変化させる手段を含むことを特徴とするものである。
【００１０】
請求項４の発明は、請求項１の構成に加えて、前記機能装置には、前記車両に取り付けられた車輪の操舵角を制御する操舵角制御装置が含まれており、前記目標機能決定装置により決定される目標機能には、前記車輪の操舵角が含まれており、前記第１演算手段は、前記目標機能決定装置で決定される目標操舵角を、指数関数の数式を用いて変化させる手段を含むことを特徴とするものである。
【００１１】
請求項５の発明は、請求項１の構成に加えて、前記機能装置には、前記乗員が着座している室内の温度を制御する空調装置が含まれており、前記目標機能決定装置により決定される目標機能には、前記室内の目標温度が含まれており、前記第１演算手段は、前記目標機能決定装置で決定される目標温度を、指数関数の数式を用いて変化させる手段を含むことを特徴とするものである。
【発明の効果】
【００１２】
請求項１の発明によれば、車両の乗員によって操作装置が操作されると、この操作装置の操作状態に基づいて、機能装置の目標機能が決定される。ついで、機能装置で発生する機能は、前記目標機能に基づいてコントローラにより制御される。ここで、操作装置における操作状態の変化に対して決定する目標機能の変化量は、指数関数を含む数式を用いて求められる。このため、操作装置が操作された場合に、機能装置の機能から乗員が受ける感覚が、乗員による操作に適合したものになる。したがって、機能装置の機能の変化に対して、乗員が違和感を持つことを抑制できる。また、数式で用いる指数として、車両がおかれる環境の変化に基づいて変更される変数を用いるため、操作装置の操作状態の変化に対して、機能装置の機能の変化を、一層乗員の感覚に適合させやすくなる。
【００１３】
請求項２の発明によれば、請求項１の発明と同様の効果を得られる他に、操作装置が操作されて駆動装置が機能し、車両を走行させるための駆動力が発生する。したがって、操作装置の操作状態の変化に対して、車両の駆動力を指数関数的に変化させることができ、車両の駆動力が乗員の知覚特性に適合したものとなる。
【００１４】
請求項３の発明によれば、請求項１の発明と同様の効果を得られる他に、操作装置が操作されて制動装置が機能し、車輪に制動力が与えられる。したがって、操作装置の操作状態の変化に対して、車輪に与える制動力を指数関数的に変化させることができ、車両の減速度が乗員の知覚特性に適合したものとなる。
【００１５】
請求項４の発明によれば、請求項１の発明と同様の効果を得られる他に、操作装置が操作されて、車輪の操舵角が制御される。したがって、操作装置の操作状態の変化に対して、車輪の操舵角を指数関数的に変化させることができ、車両の旋回半径が乗員の知覚特性に適合したものとなる。
【００１６】
請求項５の発明によれば、請求項１の発明と同様の効果を得られる他に、操作装置が操作されて、空調装置により車両の室内の温度が制御される。したがって、操作装置の操作状態の変化に対して、室内の温度を指数関数的に変化させることができ、室内の温度変化が乗員の知覚特性に適合したものとなる。
【発明を実施するための最良の形態】
【００１７】
この発明における車両は、駆動装置で発生する推力で地上を走行するものであり、この車両には、具体的には、乗用車、トラック、トレーラ、バスなどが含まれる。この発明において、車両には乗員、特に運転者が操作する操作装置が設けられている。この操作装置は、乗員の身体の一部で操作されるものであり、手または足のいずれにより操作される構成でもよい。また操作装置は、乗員から操作力が加えられる装置であり、その操作力が加えられて一定方向に動作する構成、または一体方向には動作しない構成のいずれでもよい。操作力が加えられて一定方向に動作する構成の操作装置としては、ハンドル、レバー、ペダル、ボタン、ノブなどが挙げられる。また、操作装置の動作態様としては、回転運動、往復運動が挙げられる。なお、回転運動には、予め定められた角度範囲内での回転が含まれる。操作装置が操作により一定方向に動作する場合、乗員が操作装置を引く操作、または乗員が操作装置を押す操作のいずれでもよい。これに対して、一定方向に動作しない構成の操作装置としては、感圧型のタッチパネル（液晶パネル）、流体が充填された密封袋または流体室を有する操作装置が挙げられる。ここで、流体としては気体および液体が挙げられる。
【００１８】
この発明における操作装置の「操作状態」には、操作量、操作速度、操作力などが含まれる。まず、操作量とは、操作装置の動作量（移動量）を意味している。例えば、操作装置が回転運動する構成である場合、操作装置の回転角度が、操作装置の操作量に相当する。また、操作装置が直線運動する構成である場合、操作装置の直線的な移動距離が操作量に相当する。これに対して、一定方向に動作しない操作装置が用いられている場合、操作装置に加えられる操作力（荷重）が判断される。
【００１９】
この発明において、機能装置には、駆動装置および制動装置および操舵角制御装置および空調装置および音響装置が含まれる。まず、駆動装置は、車両を走行させる推力を発生させる装置である。前記車両が地上を走行する場合は、駆動装置から車輪に伝達される動力が発生する。また、駆動装置には、動力源自体と、動力源から車輪に至る経路に配置される動力伝達装置とが含まれる。前記動力源は、動力を発生する装置であり、動力源には、エンジン、電動モータ、油圧モータ、フライホイールシステムなどが含まれる。そして、操作装置の操作により動力源の動力、具体的には、トルクおよび回転数が制御される。前記動力伝達装置は、動力源で発生した動力を車輪に伝達する装置であり、動力伝達装置には、変速機、流体伝動装置などが含まれる。そして、操作装置の操作により、変速機の変速比、変速機のトルク容量、流体伝動装置のトルク容量などの目標値が決定される。
【００２０】
また、前記制動装置は、車輪に制動力を与えて回転数の上昇を抑制し、あるいは回転数を低下させ、さらには、車速の上昇を抑制し、あるいは車速を低下させる装置である。この制動装置は、摩擦式ブレーキまたは電磁式ブレーキのいずれでもよい。さらに制動装置の構造としては、ディスクブレーキまたはドラムブレーキのいずれでもよい。なお、制動装置から車輪に与えられる制動力には、電動機の回生制動力も含まれる。そして、操作装置の操作状態に基づいて、制動装置の制動力が制御される。また、前記空調装置は、室内の温度を調整する装置であり、この空調装置には、エアコンディショナおよびヒータが含まれる。操作装置の操作状態に基づいて、空調装置が制御されて、室内の温度が調整される。前記操舵角制御装置は、車輪の操舵角が制御されて、車両の旋回半径が変化するように構成されている。前記音響装置には、室内に設けられているラジオ、ステレオ、オーディオビジュアルシステムなどが含まれる。そして、操作装置の操作に基づいて、音響装置の音声の大きさを切り替えられるように構成されている。
【００２１】
この発明において、車両がおかれている環境とは、車両が走行する道路の環境、車両が走行する周囲の雰囲気の環境、車両自体の状態などが含まれる。車両自体の状態とは、運転者により操作される機構が含まれる。これらの環境が変化すると、機能装置の機能が同じであっても、人間の感覚が違和感を持つ可能性がある。この発明における車両は、駆動力源の動力が前輪または後輪のいずれか一方の伝達される構成の二輪駆動車、駆動力源の動力が前輪および後輪に伝達される構成の四輪駆動車を含む。
【００２２】
つぎに、この発明の具体例を図面に基づいて説明する。この具体例では、走行体の一種である乗用車などの車両について説明する。図２は、車両１のパワートレーンの構成、および車両１の制御系統を示す概念図である。また、図３は、車両１のパワートレーンの構成を具体的に示した概念図である。図２および図３において、車両１には駆動力源としてエンジン２が搭載されている。このエンジン２は車輪（後輪）３に伝達される動力を出力する動力装置である。この図２および図３に示された車両１は、エンジン２から出力された動力が車輪（後輪）３に伝達されるように構成されたＦＲ（フロントエンジン・リヤドライブ）型のものである。エンジン２は、燃料を燃焼させた場合に発生する熱エネルギを運動エネルギとして出力する熱機関であり、例えば内燃機関を用いることができる。内燃機関としては、具体的には、ガソリンエンジン、ディーゼルエンジン、ＬＰＧエンジンなどを用いることができる。ここでは、便宜上、ガソリンエンジンを用いている場合について説明する。このエンジン１は、燃料噴射装置４、点火時期制御装置５、電子スロットルバルブ６などを有する公知のものである。燃料噴射装置により燃料噴射量を制御し、点火時期制御装置により点火時期を制御し、電子スロットルバルブ６の開度の制御により吸入空気量を制御することが可能である。そして、エンジン１における燃料噴射量または点火時期または吸入空気量のうち、少なくとも１つを制御することにより、エンジン出力（トルク×回転数）が制御されるように構成されている。
【００２３】
また、エンジン２から車輪３に至る動力伝達経路には、電動モータ７および流体伝動装置８ならびに変速機９が設けられている。電動モータ７は電気エネルギを運動エネルギに変換して出力する動力装置である。電気モータ７としては、直流モータまたは交流モータのいずれを用いてもよい。さらに、電動モータ７として、力行機能と回生機能とを兼備したモータ・ジェネレータを用いることも可能である。電動モータ７はロータ１０およびステータ１１を有しており、蓄電装置１２がインバータ１３を介在させて電動モータ７に接続されている。そして、ロータ１０が、エンジン２のクランクシャフト１４に動力伝達可能に接続されている。前記流体伝動装置８は、ポンプインペラ１５とタービンランナ１６との間で、流体の運動エネルギにより動力伝達をおこなう伝動装置である。そして、ポンプインペラ１５が、クランクシャフト１４に動力伝達可能に接続されている。さらに、タービンランナ１６が変速機９の入力軸１７に動力伝達可能に接続されている。この流体伝動装置８として、トルク増幅をおこなうことの可能なトルクコンバータが用いられている。
【００２４】
以下、便宜上、流体伝動装置８を「トルクコンバータ８」と記す。また、トルクコンバータ８には、ポンプインペラ１５およびタービンランナ１６に対して並列に、ロックアップクラッチ１８が設けられている。このロックアップクラッチ１８は、クランクシャフト１４と入力軸１７との間で、摩擦力により動力伝達をおこなう伝動装置である。この具体例では、ロックアップクラッチ１８の係合・解放を制御するコントローラとして、油圧制御装置１９が設けられている。この油圧制御装置１９は、油圧回路、切替バルブ、ソレノイドバルブなどの要素を有する公知のものである。そして、油圧制御装置１９は、油圧回路の油圧、ロックアップクラッチ１８を係合させる係合用油圧室、ロックアップクラッチ１８を解放させる解放油圧室の油圧を制御することが可能に構成されている。ロックアップクラッチ１８を係合させると、クランクシャフト１４と入力軸１７との間で、摩擦力により動力伝達がおこなわれる。これに対して、ロックアップクラッチ１８を解放させると、ポンプインペラ１５とタービンランナ１６との間で、流体の運動エネルギにより動力伝達がおこなわれる。また、ロックアップクラッチ１８が解放された場合は、トルクコンバータ８でトルク増幅をおこなうことが可能である。前記変速機９は、入力軸１７の回転数と出力軸２０の回転数との比、つまり変速比を変更可能な伝動装置である。
【００２５】
この変速機９としては、有段変速機または無段変速機のいずれを用いてもよい。有段変速機とは、変速比を段階的（不連続）に変更可能な変速機である。無段変速機とは、変速比を無段階（連続的）に変更可能な変速機である。有段変速機としては、選択歯車式変速機、常時噛み合い式変速機、遊星歯車式変速機などを用いることが可能である。無段変速機としては、トロイダル型無段変速機、ベルト式無段変速機などを用いることが可能である。この具体例では、変速機９として有段変速機、特に、遊星歯車式変速機を用いた場合について説明する。すなわち、変速機９は、複数の遊星歯車機構２１と、遊星歯車機構２１の回転要素同士を接続するクラッチ、または回転要素の回転・停止を制御するブレーキなどの摩擦係合装置２２を有している。この摩擦係合装置２２を係合・解放させることにより、変速機９の変速比が変更されるように構成されている。この具体例では、摩擦係合装置２２の係合・解放制御が、前記油圧制御装置１９によりおこなわれるように構成されている。この変速機９としては、例えば、前進ポジションで、変速比が異なる４種類の変速段を選択的に切り替え可能な変速機を用いることが可能である。４種類の変速段とは、第１速、第２速、第３速、第４速であり、第１速の変速比は第２速の変速比よりも大きく、第２速の変速比は第３速の変速比よりも大きく、第３速の変速比は第４速の変速比よりも大きい。さらに、この具体例では、変速機９の出力軸２０から車輪３に至る動力伝達経路が、プロペラシャフト２３および終減速機２４およびアクスルシャフト２５により構成されている。
【００２６】
さらに、加速要求がある場合に乗員（運転者）により操作されるアクセルペダル２６、減速要求がある場合に乗員により操作されるブレーキペダル３３、変速機９の変速比の制御範囲を制御するために乗員により操作されるシフトレバー（図示せず）が設けられている。これらのアクセルペダル２６、ブレーキペダル３３、シフトレバーは車両１の室内に設けられている。また、アクセルペダル２６の構成について説明すると、この具体例では、乗員がアクセルペダル２６を足で踏んで操作する。このアクセルペダル２６は、支持軸（図示せず）を中心として一定の角度範囲内で回転可能に構成されている。また、アクセルペダル２６に踏力が与えられない場合は、予め定められた位置でアクセルペダル２６が停止する構成を有している。アクセルペダル２６に加えられる踏力が低下した場合は、反力発生装置（図示せず）の反力でアクセルペダル２６が元の位置に戻されるように構成されている。さらに、ブレーキペダル３３の構成について説明すると、この具体例では、乗員がブレーキペダル３３を足で踏んで操作する。このブレーキペダル３３は、支持軸（図示せず）を中心として一定の角度範囲内で回転可能に構成されている。また、ブレーキペダル３３に踏力が与えられない場合は、予め定められた位置でブレーキペダル３３が停止する構成を有している。ブレーキペダル３３に加えられる踏力が低下した場合は、反力発生装置（図示せず）の反力でブレーキペダル３３が元の位置に戻されるように構成されている。
【００２７】
さらに、車両１の室内にはステアリングホイール３４が設けられており、ステアリングホイール３４が、支持軸３５を中心として回転可能に支持されている。また、ステアリングホイール３４の操作に基づいて、車輪（前輪）３６の操舵角度を制御する操舵角制御装置３７が設けられている。この操舵角制御装置３７は、ステアリングホイール３４の操作量（回転角度）に対して、車輪３６の操舵角を任意に調整することが可能に構成されている。さらに、操舵角制御装置３７は、ステアリングホイール３４の回転角度の変化量に対して、車輪３６の操舵角の変化量を任意に調整することが可能に構成されている。この操舵角制御装置３７としては、例えば、特開２００７−１９０９７７号公報に記載されているように、電動モータ、ねじ部、ボールねじナットなどの公知の構造を用いることができる。そして、電動モータの出力を制御することにより、車輪３６の操舵角を制御可能である。
【００２８】
さらに、ブレーキペダル３３の操作により車輪３，３６に制動力を与える制動装置が設けられている。この制動装置は、マスタシリンダ、油圧回路３９、車輪２，３６に設けられたホイールシリンダ４０、油圧回路３９を制御するブレーキ用電子制御装置３８などから構成される公知のものである。このような制動装置により、ブレーキペダル３３が踏み込まれると、ホイールシリンダ４０の油圧が高められて、車輪３，３６に与えられる制動力が増加する。これに対して、ブレーキペダル３３に加えられる踏力が低下すると、ホイールシリンダ４０の油圧が低下されて、車輪３，３６に与えられる制動力が低下する。また、ホイールシリンダ４０の油圧は、４個の車輪３，３６について別個に制御可能である。なお、このような制動装置は、例えば、特開２００７−１５３１８８号公報に記載されているように公知のものである。
【００２９】
さらに、車両１の室内の温度を制御するエアコンディショナ（以下、「エアコン」と記す）４１が設けられている。このエアコン４１は、コンプレッサ、コンデンサ、レシーバタンク、膨張弁、エバポレータ、配管、通気管、ダンパなどの要素を有する。コンプレッサは、エンジン２または電動機の動力で駆動されて冷媒を圧縮して吐出するものである。コンデンサは、コンプレッサにより圧縮された冷媒の熱を奪い、かつ、冷媒を液化する装置である。レシーバタンクは、コンデンサで液化された冷媒が流れ込み、かつ、冷媒をガスと液体に分離する装置である。膨張弁は、レシーバタンクから出る液冷媒が送られ、かつ、冷媒を急激に膨張させて低温・低圧とする装置である。エバポレータは、膨張弁で低温・低圧にされた冷媒が流れ込み、かつ、冷媒が蒸発するために必要な潜熱を、室内の空気から奪う装置である。配管は、エバポレータを通過した冷媒をコンプレッサに戻す機構である。通気管は、冷媒との間で熱交換がおこなわれた空気が通過する通路を形成する要素である。ダンパは、通気管の通気面積および通気量を制御する装置である。
【００３０】
そして、室内に設けられているコントロールパネル４２の操作により、エアコン４１における温度制御機能、空気吹き出し量、空気吹き出し位置などが制御されるように構成されている。すなわち、エアコン４１は、公知の蒸気圧縮式の冷凍サイクルを構成しており、エアコン２０により室内の温度が制御される。コントロールパネル４２は、ボタン、レバー、ノブ、タッチパネル、液晶画面などを有する。このような構成のエアコン４１は、例えば、「自動車の電子システム」（１９９２年８月５日発行・理工学社）の第１５５頁ないし１５８頁に記載されているように、公知のものを用いることが可能である。さらに、車両１の室内には、オーディオビジュアルシステム４７が搭載されており、オーディオビジュアルシステム４７は、スピーカ、アンテナ、液晶画面などを有する公知のものであり、コントロールパネル４６の操作信号を、オーディオ用電子制御装置４９で検知および処理して、スピーカの音声調節、ＦＭ・ＡＭの切替などをおこなえるように構成されている。
【００３１】
ここで、車両１の制御系統を説明すると、コントローラとして電子制御装置２８が設けられており、この電子制御装置２８には、車速を示す信号、アクセルセンサー２９の信号、エンジン回転数を示す信号、シフトポジションを示す信号、ブレーキペダル３３の操作を示す信号、コントロールパネル４２，４６の操作を示す信号、ステアリングホイール３４の回転方向および回転角度を示す信号、外気温度を検知するセンサの信号などが入力される。アクセルセンサー２９は、アクセルペダル２６に加えられる操作力（踏力）、およびアクセルペダル２６の操作量、およびアクセルペダル２６の操作速度を検知する装置である。また、この電子制御装置２８には、エンジン２の出力を制御するマップおよびデータ、電動モータ７の出力を制御するデータおよびマップ、変速機９の変速比を制御するマップ、ロックアップクラッチ１８の係合・解放を制御するマップおよびデータなどが、予め記憶されている。
【００３２】
また、この具体例では、電子制御装置２８が、エンジン２を制御するエンジン用電子制御装置（エンジンＥＣＵ）３０、電動モータ７を制御するモータ用電子制御装置（モータＥＣＵ）３１、変速機９およびロックアップクラッチ１８を制御する変速機用電子制御装置（ＡＴ−ＥＣＵ）３２およびブレーキ用電子制御装置３８および操舵角制御用電子制御装置４３およびエアコン用電子制御装置４４およびオーディオ用電子制御装置４９を有している。このブレーキ用電子制御装置３８は、前記ブレーキペダル３３の操作状態に基づいて、油圧回路３９を制御して車輪３，３６に与えられる制動力を制御するコントローラである。この油圧回路３９は、ソレノイドバルブ、切替バルブなどを有する公知のものである。また、エアコン用電子制御装置４４は、前記コントロールパネル４２の操作状態に基づいて、エアコン４１における吹き出し空気量、室内温度を制御するコントローラである。これらの電子制御装置同士の間で、相互に信号の授受がおこなわれる。
【００３３】
また、車両１にはナビゲーションシステム２７が搭載されており、ナビゲーションシステム２７の信号と電子制御装置２８との間で信号の授受がおこなわれる。このナビゲーションシステム２７は、各種のセンサ、外部記憶装置、受信機、コントローラなどを有している。このナビゲーションシステム２７は、車両１の現在位置を検知する機能、車両１の目的地を入力する機能、車両１の目的地までの走行経路を検索または入力する機能、走行経路の状況および天候などを検知する機能、車両１の走行軌跡を記憶する機能などを有している。車両１の現在位置は、自律航法または電波航法により求めることが可能である。自律航法とは、車両１の現在位置を、車両１に搭載されている外部記憶装置（ＣＤ−ＲＯＭ、ＤＶＤなど）に記録された地図データを基にして、地磁気センサ、車輪３６の回転角度を検知する操舵角センサ、車輪３，３６の回転速度を検知する回転速度センサなどの信号により求めるものである。
【００３４】
一方、電波航法とは、車両１の外部（地上、道路、宇宙空間など）に存在する外部設備と、車両１に搭載された受信機との間で信号の授受をおこない、地図上に置ける車両１の現在位置を検知するものである。電波航法では、ＧＰＳ（グローバル・ポジショニング・システム：人工衛星）の電波（信号）、地上に設置されたビーコンまたはサインポストから発信される電波（信号）を受信して、車両１の現在位置を検知する。このようにして、地図上における車両１の現在位置を検知することにより、車両１の走行経路の前方の道路状況、具体的には、カーブ、登坂路、降坂路、砂利道、山道、路面の摩擦係数、市街地、渋滞の有無、天候、交通規則などを検知することができる。なお、ナビゲーションシステム２７のコントロールパネルと、コントロールパネル４６とを共通化することも可能である。
【００３５】
上記のように構成された車両１においては、エンジン２で燃料が燃焼されてそのエンジン２からトルクが出力されると、そのトルクはトルクコンバータ８および変速機９およびプロペラシャフト２３および終減速機２４およびアクスルシャフト２５を経由して車輪３に伝達され、駆動力が発生する。また、電動モータ７に電力が供給されると、電動モータ７のトルクが上記と同様に車輪３に伝達される。この具体例に示す車両１は、エンジン２または電動モータ７のうち、少なくとも一方の動力を車輪３に伝達することのできるハイブリッド車である。具体的には、アクセルペダル２６の踏み込み量、車速、シフトポジションなどのデータ、および電子制御装置２８に記憶されているマップに基づいて、車両１における要求駆動力もしくは要求加速度が求められる。この要求駆動力に基づいて、エンジン２の目標出力および電動モータ７の目標出力が求められる。そして、エンジン２の実際の出力を目標出力に近づける制御、および電動モータ７の実際の出力を目標出力に近づける制御がおこなわれる。たとえば、駆動力を高める場合は、エンジントルクまたは電動モータ７のトルクを上昇させる制御をおこなうことができる。駆動力を高める場合は、変速機９の変速比を相対的に大きくする制御、ダウンシフトをおこなうことが可能である。また、ロックアップクラッチ１８を解放させて、トルクコンバータ８でトルク増幅をおこなうと、車両の駆動力を高めることが可能である。
【００３６】
これに対して、駆動力を低下させる場合は、エンジントルクまたは電動モータ７のトルクを低下する制御をおこなうことができる。また、駆動力を低下させる場合は、変速機９の変速比を相対的に小さくする制御、アップシフトをおこなうことが可能である。また、ロックアップクラッチ１８を係合させて、トルクコンバータ８でトルク増幅をおこなわないようにすると、車両の駆動力を低下させることが可能である。
【００３７】
つぎに、車両１の運転者により操作装置が操作されて、その操作装置の機能の変化量を制御する場合の概念を説明する。一般に、人間の感覚に関する法則として「ウェーバー（Weber ）の法則」が知られている。このウェーバーの法則は、弁別閾ΔＲと、刺激強度Ｒとの比は一定であるとするものであり、次式により表される。
ΔＲ／Ｒ＝Ｃ＝一定
この数式において「Ｃ」は、ウェーバー比であり、ウェーバー比は、刺激の強さや性質が変化したことを区別できる最小の差、または刺激の大小関係を区別できる最小の差を意味する。一方、ウェーバ−の法則が刺激の強さのみに注目していたのに対して、ヘフナー（Fechner ）の法則も知られている。これは、感覚の大きさにも着目したものであり、感覚の微少な変化量をΔＥとすると、弁別閾ΔＲによって起こる変化量Δは一定であるとするものである。言い換えれば、感覚量は刺激強度の対数に比例するというものである。ヘフナーの法則は次式により表される。
ΔＥ＝ｋ・ΔＲ／Ｒ＝一定
【００３８】
上記数式において、ｋは関数である。この具体例では、上記の２つの法則を利用して、乗員により操作される操作装置の操作状態に対して、機能装置における機能が、乗員の期待する機能特性（刺激）となるように、機能装置の機能を制御することが可能である。ここで、操作装置には、アクセルペダル２６と、ブレーキペダル３３と、ステアリングホイール３４と、エアコン４１のコントロールパネル４２のスイッチまたはレバーまたはノブと、コントロールパネル４６のスイッチまたはレバーまたはノブとが含まれる。また、操作量には、アクセルペダル２６の踏み込み量または踏み込み速度または踏力と、ブレーキペダル３３の踏み込み量または踏み込み速度または踏力と、ステアリングホイール３４の回転角度または回転角度と、エアコン４１のコントロールパネル４２のスイッチまたはレバーまたはノブの、操作量または操作位置と、コントロールパネル４６のスイッチまたはレバーまたはノブの、操作量または操作位置とが含まれる。さらにこの具体例では、アクセルペダル２６の操作に対する車両１の駆動力が、機能装置の機能（刺激量もしく応答特性）に相当する。また、この具体例では、ブレーキペダル３３の操作に対して車輪３，３６に与えられる制動力が、機能装置の刺激量に相当する。また、ステアリングホイール３４の操作に対する車輪３６の操舵角が、刺激量に相当する。さらに、エアコン４１のコントロールパネル４２のスイッチまたはレバーまたはノブの操作に対する室内の温度が、機能装置の刺激量に相当する。また、コントロールパネル４６のスイッチまたはレバーまたはノブの操作に対するスピーカの音量が、機能装置の刺激量に相当する。この具体例において、操作装置の操作特性（入力パラメータＵ）は、前記２つの法則を利用して数式１で表すことができる。
【００３９】
Ｕ＝操作装置の変化量（弁別閾）Δｕ／操作量ｕ          ・・・（１）
【００４０】
また、操作装置の操作状態の変化量と、機能装置の機能の変化に対するウェーバー比Ｃが比例関係にあるときに、操作装置の操作に対して機能装置の機能の変化量を、良好な応答（刺激）と感じる。つまり、刺激の強さ（大きさ）に対するウェーバー比Ｃは、数式２で表される。
【００４１】
Ｃ＝刺激の強さの変化量（弁別閾）Δｙ／刺激の強さｙ    ・・・（２）
【００４２】
なお、上記操作量ｕと刺激ｙとの関係の一例を、図４に示す。図４に示すように、上記操作量ｕと刺激ｙとの関係は線形となる。一方、操作特性Ｕとウェーバー比Ｃとの関係が「Ｃ∝Ｕ」であるとすると、操作量ｕと刺激の強さｙとの関係は、数式３または数式４または数式５で表すことができる。
【００４３】
Δｙ／ｙ＝ｋ・Δｕ／ｕ                                ・・・（３）
ｌｏｇ（ｙ）＝ｋ・ｌｏｇ（ｕ）＋ｃ                    ・・・（４）
または
ｙ＝ｃ・ｕｋ                                           ・・・（５）
【００４４】
上記の数式に示された「ｌｏｇ」は対数であり、数式３および数式４および数式５について、上記操作量ｕと刺激ｙとの関係の一例を、図５に示す。この図５に示すように、上記操作量ｕと刺激ｙとの関係は非線形となる。ここで、関数Ｋおよび関数Ｃは、共に定数としてもよいが、車両１のおかれている環境に基づいて設定される変数とすることができる。上記の数式１ないし数式５は、この具体例でおこなわれる制御の前提となる概念を表している。
【００４５】
つぎに、ウェーバーの法則およびヘフナーの法則を用いる制御例を具体的に説明する。ここでは、操作装置の操作量として、アクセルペダル２６の操作量（アクセル開度）を採り上げ、機能装置の刺激量として、車両１における前後方向の加速度（要求加速度）を採り上げる。この場合も、前述の数式３および数式４および数式５と同様にして、アクセル開度Ａと要求加速度αとの関係は、数式６および数式７で表される。また、数式８で表すこともできる。
【００４６】
Δα／α＝ｋ・ΔＡ／Ａ                                ・・・（６）
ｌｏｇ（α）＝ｋ・ｌｏｇ（Ａ）＋ｃ                    ・・・（７）
または
α＝ｃ・Ａｋ                                           ・・・（８）
【００４７】
このように、アクセル開度の変化に対する要求加速度の変化量を求めることができる。図６は、アクセル開度に基づいて、車両２における要求駆動力を求める場合の制御系を示すモデル図である。このアクセル開度に対する要求加速度は、静的特性（静特性）であり、これを動的特性（動特性）とする処理をおこなう。この場合、数式９を用いる。
【００４８】
α／ΔＴ＝ｆ（ωｎ、ζ）                              ・・・（９）
【００４９】
ここで、「ΔＴ」は「制御ルーチン１回の実行周期」であり、「ωｎ」は固有振動数であり、「ζ」は減衰係数であり、「ｆ」は、「ωｎ」および「ζ」をパラメータとする関数を表す。
【００５０】
さらに、制御の２次遅れを仮定し動特性を決定する。この処理には、数式１０および数式１１を用いる。
【００５１】
（α・ω２ｎ）／（ｓ２ ＋２ζωｎ＋ω２ｎ）                  ・・・（１０）
ＦＲ ＝μｒ ・ｍ・ｇ＋１／２Ｃｄ・ρ・Ｂ・Ｖ２ ＋ｍ・ｇ・ｓｉｎ（θ）
・・・（１１）
【００５２】
ここで、数式１１における左辺の「ＦＲ 」は車両１の走行抵抗を意味し、右辺の「μｒ ・ｍ・ｇ」は、車輪３，３６の転がり抵抗を意味し、右辺の「１／２Ｃｄ・ρ・Ｂ・Ｖ２ 」は車両１の走行時における空気抵抗を意味し、右辺の「ｍ・ｇ・ｓｉｎ（θ）」は、路面の勾配抵抗を意味する。より具体的には、「μｒ 」は摩擦係数であり、「ｍ」は車体重量であり、「ｇ」は重力加速度である。また、「Ｃｄ 」は空気抵抗係数であり、「ρ」は空気密度であり、「Ｂ」は車両１の前面投影面積であり、「Ｖ」は車速である。なお、前面投影面積Ｂとは、車両１の高さ方向の平面内における面積である。このようにして、制御ルーチン１回あたりにおける要求加速度αの動特性を求め、ついで、要求駆動力Ｆｘ を、数式１２により求める。
【００５３】
Ｆｘ ＝ｍα＋ＦＲ                                          ・・・（１２）
【００５４】
さらに、前記アクセル開度に基づいて要求加速度を求めるにあたり、数式７に代えて数式１３用い、数式８に代えて数式１４を用いることが可能である。
【００５５】
ｌｏｇ（α）＝ｋ・ｌｏｇ（Ａ）＋ｌｏｇ（ｃ（ｖ））      ・・・（１３）
α＝ｃ（ｖ）・Ａｋ                                       ・・・（１４）
【００５６】
この数式１３および数式１４は、関数ｃとして「定数」を用いず、「変数」、具体的には「車速をパラメータとする変数」を用いることを意味している。この数式１３および数式１４を用いた場合における、アクセル開度と要求加速度との関係の一例を、図７に示す。この図７においては、横軸に操作量の例としてアクセル開度が示され、縦軸に刺激量の例として要求加速度が示されている。この図７に示すように、アクセル開度が増加することにともない、要求加速度が増加する特性を有している。また、図７では複数の特性線が示されており、車速が異なると、アクセル開度が同じであっても要求加速度が異なる。具体的には、アクセル開度が同じであっても、車速が高くなることにともない、要求加速度が低くなる。なお、アクセル開度と要求加速度との関係を示す特生線の傾きは、いずれの車速においても同じであり、かつ、線形の特性である。さらに、前記アクセル開度に基づいて要求加速度を求めるにあたり、数式１３に代えて数式１５用い、数式１４に代えて数式１６を用いることが可能である。
【００５７】
ｌｏｇ（α）＝ｋ（Ａ）・ｌｏｇ（Ａ）＋ｌｏｇ（ｃ（ｖ））・・・（１５）
α＝ｃ（ｖ）・Ａｋ（Ａ）                                    ・・・（１６）
【００５８】
この数式１５および数式１６は、いずれも関数ｋとして「定数」を用いるのではなく、アクセル開度をパラメータとして変化する「変数」を用いることを意味している。この数式１５および数式１６を用いた場合における、アクセル開度と要求加速度との関係の一例を、図８に示す。この図８においても、横軸に操作量の例としてアクセル開度が示され、縦軸に刺激量の例として要求加速度が示されている。この図８に示すように、アクセル開度が増加することにともない、要求加速度が増加する特性を有している。また、図８においては、車速が異なると、アクセル開度が同じであっても要求加速度が異なる。具体的には、アクセル開度が同じであっても、車速が高くなることにともない、要求加速度が低くなる。また、アクセル開度が相対的に小さい領域で変化した場合において、要求加速度の変化量は、アクセル開度が相対的に大きい領域で変化した場合において、要求加速度の変化量よりも大きくなっている。このように、アクセル開度と要求加速度との関係を示す特性線は、アクセル開度の大きさにより異なる、すなわち、非線形の特性である。
【００５９】
以上のように、数式１５および数式１６を用いて、アクセル開度の変化量に対して、指数関数的に変化する要求加速度を求めることが可能である。実際の制御に際しては、数式１５および数式１６を用いてリアルタイムに要求加速度を算出してもよいし、電子制御装置２８にマップを記憶しており、そのマップから要求加速度を読み出してもよい。ついで、図６のモデル図に示すように、要求加速度に基づいて要求駆動力を求め、その要求駆動力に基づいて、各種のコントローラを制御する。これは、予め電子制御装置２８に、要求加速度と要求駆動力との関係を定めたマップを記憶しておき、そのマップを用いればよい。このような制御を実行すると、車両１の運転者の知覚特性もしくは期待値に沿った加速特性を得られ、運転者が違和感を持つことを抑制できる。特に、上記の数式１５および数式１６では、関数として定数ではなく変数を用いているため、一層運転者の感覚に適合した駆動力を得ることができる。すなわち、車両１の加速度が急激に変化することを抑制でき、運転者に不快感を与えることを回避できる。ここで、運転者の不快感とは、車両の加速度が急激に変化することにより生じるショック、加速度の頭打ち感などを意味する。なお、上記の説明では、アクセルペダル２６の踏み込み量に対して、要求加速度を指数関数的に変化させる例について説明したが、アクセルペダル２６の踏力の変化、踏み込み速度の変化に対して、要求加速度を指数関数的に制御することも可能である。
【００６０】
また、この具体例においては、ステアリングホイール３４の操作量に対して、操舵角制御装置３７の電動モータの出力を制御して、車輪３６の操舵角を指数関数的に変化させることが可能である。この場合、前述した数式およびマップの説明において、操作量として説明した「アクセル開度」を、「ステアリングホイール３４の回転角度またはステアリングホイール３４の操作速度」に置き換え、刺激量として説明した「要求加速度」を、「要求操舵角」に置き換えればよい。このように、ステアリングホイール３４の回転角度または回転速度の変化に対して、車輪３６の操舵角を指数関数的に変化させることにより、車両１の旋回半径を、運転者の感覚に適合させることができる。したがって、車両１の平面方向における挙動もしくは運動、具体的には、ヨー加速度の変化量、横加速度の変化量などが、運転者の意図に沿って変化することとなる。さらに、ステアリングホイール３４の操作量に対して、車輪３６の操舵角を指数関数的に変化させる場合に、数式１３ないし数式１６に基づいて説明したように、関数として定数を用いるのではなく、変数を用いることも可能である。例えば、車速が相対的に高くなることにともない、ステアリングホイール３４の操作量に対して、要求操舵角の変化量を相対的に小さくする制御を実行可能である。また、路面の摩擦係数が相対的に小さくなることにともない、ステアリングホイール３４の操作量に対して、要求操舵角の変化量を相対的に小さくする制御を実行可能である。さらに、晴天の日と雨天の日とを比べて、雨天の日の方が、ステアリングホイール３４の操作量に対して、要求操舵角の変化量を相対的に小さくする制御を実行可能である。この場合、車速、路面の摩擦係数、天候などの関数とすることができる。なお、摩擦係数、天候などのパラメータは、ナビゲーションシステム２７の信号から判断可能である。このようにして、ステアリングホイール３４の操作量に対して、車輪３６の操舵角を指数関数的に変化させる制御をおこなう場合も、必要なデータをマップ化して電子制御装置２８に記憶させておけばよい。
【００６１】
また、この具体例においては、ブレーキペダル３３の操作量に対して、車輪３，３６に与える制動力を指数関数的に変化させることも可能である。この場合、前述した数式およびマップの説明において、操作量として説明した「アクセル開度」を、「ブレーキペダル３３の踏み込み量またはブレーキペダル３３の踏み込み速度」に置き換え、刺激量として説明した「要求加速度」を、「要求制動力」に置き換えればよい。このように、ブレーキペダル３３の踏み込み量または踏み込み速度の変化に対して、ホイールシリンダの油圧を上昇または低下させて、車輪３，３６に与える制動力を指数関数的に変化（増加または減少）させることにより、車両１の旋回半径を、運転者の感覚に適合させることができる。したがって、車両１の減速度が運転者の意図に沿って変化することとなる。さらに、ブレーキペダル３３の操作量に対して、車輪３，３６に与える制動力を指数関数的に変化させる場合に、数式１３ないし数式１６に基づいて説明したように、関数として定数を用いるのではなく、変数を用いることも可能である。例えば、車速が相対的に高くなることにともない、車輪３，３６に与える制動力を相対的に弱める制御を実行可能である。また、路面の摩擦係数が相対的に小さくなることにともない、車輪３，３６に与える制動力を相対的に弱める制御を実行可能である。さらに、晴天の日と雨天の日とを比べて、雨天の日の方が、ブレーキペダル３３の操作量に対して、制動力の変化量を相対的に小さくする制御を実行可能である。この場合、路面の摩擦係数、天候などのパラメータは、ナビゲーションシステム２７の信号から判断可能である。このようにして、ブレーキペダル３３の操作量に対して、車輪３，３６に与える制動力を指数関数的に変化させる制御をおこなう場合も、必要なデータをマップ化して電子制御装置２８に記憶させておけばよい。
【００６２】
また、この具体例においては、コントロールパネル４６における音声調整ノブまたはレバーの操作量に対して、スピーカの音声を指数関数的に変化（大きく、または小さく）させることも可能である。この場合、前述した数式およびマップの説明において、操作量として説明した「アクセル開度」を、「音声調整ノブの操作量」に置き換え、刺激量として説明した「要求加速度」を、「要求音声」に置き換えればよい。このように、音声調整ノブまたはレバーの操作量の変化に対して、スピーカから出力される音声を指数関数的に変化させることにより、スピーカの音量変化を、運転者の感覚に適合させることができる。例えば、車両２が市街地を走行する場合のように、周囲の騒音が相対的に大きい場合は、車両２が郊外を走行する場合のように、周囲の騒音が相対的に小さい場合に比べて、ノブまたはレバーの操作量の変化に対して、音声の変化量を相対的に大きくする制御をおこなうことが可能である。このように、音声調整ノブまたはレバーの操作量の変化に対して、スピーカから出力される音声を指数関数的に変化させる制御をおこなう場合も、必要なデータをマップ化して電子制御装置２８に記憶させておけばよい。
【００６３】
また、この具体例においては、コントロールパネル４２における温度調整ノブまたはレバーの操作量に対して、エアコン４１のダンパの開度を制御（増加・減少）することにより、吹き出し口から吐出される空気の温度を指数関数的に変化（上昇または低下）させることも可能である。この場合、前述した数式およびマップの説明において、操作量として説明した「アクセル開度」を、「温度調整ノブの操作量」に置き換え、刺激量として説明した「要求加速度」を、「要求温度」に置き換えればよい。このように、温度調整ノブの操作量の変化に対して、吹き出される空気の温度を指数関数的に変化させることにより、室内温度の変化を、運転者の感覚に適合させることができる。さらに、温度調整ノブの操作量に対して、吹き出し空気の温度を指数関数的に変化させる場合に、数式１３ないし数式１６に基づいて説明したように、関数として定数を用いるのではなく、変数を用いることも可能である。例えば、冷房要求があり、かつ、外気温が相対的に高い場合は、レバーまたはノブの操作量の変化に対して、温度変化量を相対的に大きくする制御をおこなうことができる。一方、暖房要求があり、かつ、外気温が相対的に低い場合は、レバーまたはノブの操作量の変化に対して、温度変化量を相対的に小さくする制御をおこなうことができる。この場合、外気温度は温度センサにより直接検知すること、または天候から間接的に判断することも可能である。このように、温度調整ノブまたはレバーの操作量に対して、温度変化を指数関数的に変化させる場合も、必要なデータをマップ化しておき、電子制御装置２８に記憶させておけばよい。
【００６４】
ここで、この具体例で説明した構成と、この発明の構成との対応関係を説明すると、アクセルペダル２６、ブレーキペダル３３、ステアリングホイール３４、コントロールパネル４２，４６のノブまたはレバーなど、運転者により操作される要素が、この発明における「操作装置」に相当し、エンジン２、ロックアップクラッチ１８、トルクコンバータ８、電動モータ７、変速機９、エアコン４１、オーディオビジュアルシステム４７、操舵角制御装置３７などの機構が、この発明における機能装置に相当し、電子制御装置２８が、この発明における目標機能決定装置に相当し、油圧制御装置１９、変速機用電子制御装置３２、エアコン用電子制御装置４４、操舵角制御用電子制御装置４３、ブレーキ用電子制御装置３８、オーディオ用電子制御装置４９が、この発明におけるコントローラに相当する。
【００６５】
また、数式１５および数式１６が、この発明における数式に相当し、アクセル開度、車速、外気温度、天候、路面の摩擦係数などのパラメータが、この発明における「環境」に相当し、エンジン２、電動モータ７、変速機９、ロックアップクラッチ１８、トルクコンバータ８が、この発明における駆動装置に相当し、ブレーキ用電子制御装置３３およびホイールシリンダ４０が、この発明における制動装置に相当し、車輪３，３６が、この発明における車輪に相当し、操舵角制御装置３７が、この発明における操舵角制御装置に相当し、エアコン４１が、この発明における空調装置に相当する。なお、上記の具体例において、電子制御装置２８に記憶されている各種のマップには、予め実験的に求められたデータ、あるいはシミュレーションによって得られたデータが記憶されている。
【００６６】
さらに、上記の具体例において説明した制御例のフローチャートを、図１により説明する。この具体例では、操作装置の操作状態を検知するセンサ、およびその他のスイッチやセンサの信号が、電子制御装置２８で処理される（ステップＳ１）。このステップＳ１についで、操作装置における操作状態の変化に対して、機能装置の目標機能の変化量を、数式１５および数式１６を用いて求める（ステップＳ２）。特に、数式１５および数式１６では関数として変数を用いる。このステップＳ２の算出結果に基づいて、各種のコントローラを制御する信号が出力され（ステップＳ３）、この制御ルーチンを終了する。この図１に示された機能的手段と、この発明の構成との対応関係を説明すると、ステップＳ２が、この発明の第１演算手段および第２演算手段に相当する。
【図面の簡単な説明】
【００６７】
【図１】この発明の制御を車両で実行する制御例を示すフローチャートである。
【図２】この発明の制御を実行可能な車両の構成を示す概念図である。
【図３】図２に示す車両のパワートレーンの構成を具体化した概念図である。
【図４】この発明の制御において、操作量と刺激量との関係を示す特性線図である。
【図５】この発明の制御において、操作量と刺激量との関係を示す特性線図である。
【図６】この発明における制御系を示す模式図である。
【図７】この発明の制御において、操作量と刺激量との関係を示す特性線図である。
【図８】この発明の制御において、操作量と刺激量との関係を示す特性線図である。
【符号の説明】
【００６８】
１…車両、  ２…エンジン、  ７…電動モータ、  ８…トルクコンバータ、  ９…変速機、  １８…ロックアップクラッチ、  １９…油圧制御装置、  ２６…アクセルペダル、  ２８…電子制御装置、  ３２…変速機用電子制御装置、  ３３…ブレーキペダル、  ３４…ステアリングホイール、  ３７…操舵角制御装置、  ４２，４６…コントロールパネル、  ４１…エアコン、  ４３…操舵角制御用電子制御装置、  ４７…オーディオビジュアルシステム、  ４９…エアコン用電子制御装置。
【図１】
2009083542.tif 000003
【図２】
2009083542.tif 000004
【図３】
2009083542.tif 000005
【図４】
2009083542.tif 000006
【図５】
2009083542.tif 000007
【図６】
2009083542.tif 000008
【図７】
2009083542.tif 000009
【図８】
2009083542.tif 000010